(57)【要約】      （修正有）【課題】マルチメディアスピーカにネットワーク音声の入出力機能を付加すること。【解決手段】ネットワーク音声の出力を行うためのスピーカがそれぞれ配設されたメインスピーカ殻体１１及びサブスピーカ殻体１２と、これらの間を接続する第１の伝送ケーブル３とを含み、いずれか一方のスピーカ殻体の内部に、音声の入力を行うためのマイクロフォン１３、音量制御を行うための音量調節つまみ１５及びイヤホン挿入孔１４が設けられ、スピーカ殻体とコンピュータとが第２の伝送ケーブルで接続される。第２の伝送ケーブルは、ＵＳＢ接続端と、ＵＳＢ接続端から引き出されたスピーカ接続端並びにマイクロフォン接続端とを備え、電源、スピーカ、マイクロフォンの各信号がそれぞれ独立した状態でコンピュータに伝送される。【選択図】図１
0003118503.tif 000002
【実用新案登録請求の範囲】
【請求項１】
ネットワーク音声の出力を行うためのスピーカがそれぞれ配設されたメインスピーカ殻体及びサブスピーカ殻体と、これらの間を接続する第１の伝送ケーブルとを含み、前記メインスピーカ殻体及び前記サブスピーカ殻体のうちのいずれか一方のスピーカ殻体の内部に、前記第１の伝送ケーブルを組み込んだ第１のコードリールユニットが設けられ、他方のスピーカ殻体に、ネットワークへ伝送する音声の入力を行うためのマイクロフォン、音量制御を行うための音量調節つまみ及びイヤホン挿入孔が設けられ、前記他方のスピーカとコンピュータとが第２の伝送ケーブルで接続され、前記第２の伝送ケーブルは、前記コンピュータのＵＳＢに接続するＵＳＢ接続端と、前記ＵＳＢ接続端から引き出されたスピーカ接続端並びにマイクロフォン接続端とを備え、前記第２の伝送ケーブルにより電源、スピーカ、マイクロフォンの各信号がそれぞれ独立した状態でコンピュータに伝送されることを特徴とするマルチメディアスピーカ。
【請求項２】
前記第１のコードリールユニットは、前記第１の伝送ケーブルの一方向への引き出しと巻き取りを行うものであって、互いに組み付けられて外殻を形成する前蓋及び後蓋と、前記外殻内に収納された巻取り盤、ぜんまい及び位置決めボールと、前記第１の伝送ケーブルとを備え、前記巻取り盤は、前記巻取り盤の一面に環状壁が形成されると共に、他面に円形突部が形成され、かつ前記外殻の中心軸を中心として回転可能であり、前記第１の伝送ケーブルは前記巻取り盤を貫通してその両面側に延び、前記第１の伝送ケーブルの中間部は前記巻取り盤に固定されると共に、その両側部はそれぞれ前記環状壁及び円形突部の外周面に巻き付けられて、前記外殻の外部へ延び、前記巻取り盤が正逆回転することにより、前記第１の伝送ケーブルの両側部を引出し・巻き取り可能であり、前記ぜんまいはその両端がそれぞれ前記巻取り盤及び外殻に固定されて、前記第１の伝送ケーブルが引き出された時に、前記巻取り盤をケーブル巻き取り方向へ回転するよう付勢し、前記巻取り盤の底面に、その回転に伴って前記位置決めボールが移動可能に係合するガイド溝が設けられ、前記後蓋の内面に前記位置決めボールが移動可能に係合する係合溝が径方向に沿って設けられ、前記ガイド溝は、前記第１の伝送ケーブルを引き出す際に前記位置決めボールが移動して前記巻取り盤の回転を許容し、引き出した第１の伝送ケーブルを解放した後、前記位置決めボールが引っかかって、前記巻取り盤のケーブル巻き取り方向への回転を規制し、前記位置決めボールが引っかかった状態で前記ケーブルを僅かに引き出した時、前記位置決めボールの引っかかりが外れ、前記位置決めボールが外れて前記ケーブルを解放した時に、前記位置決めボールが移動して前記巻取り盤のケーブル巻取り方向への回転を許容することを特徴とする請求項１に記載のマルチメディアスピーカ。
【請求項３】
前記第２の伝送ケーブルは、その中途に第２のコードリールユニットを備え、前記第２のコードリールユニットは、互いに組み付けられて外殻を構成する上蓋及び下蓋と、該上蓋と下蓋との間に収納されたリール盤、ぜんまい及び位置決め部材と、前記第２の伝送ケーブルとを備え、前記リール盤は前記外殻の中心軸の回りを回転可能であり、前記第２の伝送ケーブルの中間部が前記リール盤に固定されると共に、その両側部分が前記リール盤の外周にそれぞれ上下２段に巻き付けられて、前記外殻の外部へ延び、前記リール盤が回転することにより、前記第２の伝送ケーブルの両側部分を引き出し・巻き取り可能であり、前記ぜんまいは、その両端がそれぞれ前記リール盤及び前記外殻に固定され、前記第２の伝送ケーブルが引き出された時に、前記リール盤をケーブル巻き取り方向へ回転するよう付勢し、前記位置決め部材は、位置決めアームと取付片とからなり、該取付片は前記位置決めアームの一端部上面を覆って、その両側部がそれぞれ前記下蓋に固定され、前記位置決めアームの一端部上面に設けられ回転軸が前記取付片に形成された軸孔へ回動自在に挿通され、前記位置決めアームの他端部にスライド突起部が設けられ、前記リール盤の下面に、その回転に伴い前記位置決め部材のスライド突起部を案内し、該スライド突起部を移動させたり、停止させることにより、前記リール盤の回転を許容或いは規制する位置決め軌道が形成されていることを特徴とする請求項１又は２に記載のマルチメディアスピーカ。
【考案の詳細な説明】
【技術分野】
【０００１】
本考案は、ネットワーク音声の入出力と伝送機能とを備えたコンピュータ用のマルチメディアスピーカに関する。
【背景技術】
【０００２】
本考案の先行技術としては、具体的には２つの主要な技術があり、１つはコンピュータ用のマルチメディアスピーカであり、コンピュータから音声を出力するものである。もう１つはネットワーク音声入出力装置であり、ネットワーク音声への適応を達成するため、ソフトウェアを対応させるだけでなく、ネットワーク音声入出力装置が伝送インターフェースを提供するもので、代表的な製品として耳掛けタイプのヘッドセットがあげられる。
【考案の開示】
【考案が解決しようとする課題】
【０００３】
マルチメディアスピーカと耳掛けタイプのヘッドセットは、異なる使用機能を提供するものであるため、消費者はそれぞれお金を使って購入する必要がある。相対して、ハードウェアの操作においては、知らず知らずのうちにさらに設備が追加され、ケーブル配線の問題が出てくる。コンピュータ伝送ケーブルを一本さらに一本と配線していくと、各伝送ケーブルが入り乱れ、処理し難い状況に陥ってしまい、悩みの種となる。
【０００４】
そこで、本考案の目的は、コンピュータ用のマルチメディアスピーカを基本とし、さらにネットワーク音声入出力機能を加え、現在のあらゆるネットワーク音声入出力装置を代替し、マルチメディアスピーカの使用価値及び付加価値を向上すると同時に、伝送ケーブルの配置について、伝送ケーブルに単方向の引き出しと巻取りが可能なコードリールを採用してメインスピーカとサブスピーカとを接続し、さらに二方向の引き出し・巻取りができるコードリールを設けた３つのプラグを備えた伝送プラグでそれぞれ電源、スピーカ、マイクロフォンの３つの信号を独立して伝送する機能を形成し、マルチメディアスピーカにネットワーク音声の入出力機能を付加することにある。
【課題を解決するための手段】
【０００５】
請求項１に係るマルチメディアスピーカは、上記課題を解決するために、ネットワーク音声の出力を行うためのスピーカがそれぞれ配設されたメインスピーカ殻体及びサブスピーカ殻体と、これらの間を接続する第１の伝送ケーブルとを含み、前記メインスピーカ殻体及び前記サブスピーカ殻体のうちのいずれか一方のスピーカ殻体の内部に、前記第１の伝送ケーブルを組み込んだ第１のコードリールユニットが設けられ、他方のスピーカ殻体に、ネットワークへ伝送する音声の入力を行うためのマイクロフォン、音量制御を行うための音量調節つまみ及びイヤホン挿入孔が設けられ、前記他方のスピーカとコンピュータとが第２の伝送ケーブルで接続され、前記第２の伝送ケーブルは、前記コンピュータのＵＳＢに接続するＵＳＢ接続端と、前記ＵＳＢ接続端から引き出されたスピーカ接続端並びにマイクロフォン接続端とを備え、前記第２の伝送ケーブルにより電源、スピーカ、マイクロフォンの各信号がそれぞれ独立した状態でコンピュータに伝送されることを特徴とする。
【０００６】
請求項２に係るマルチメディアスピーカは、請求項１に係るマルチメディアスピーカにおいて、前記第１のコードリールユニットが、前記第１の伝送ケーブルの一方向への引き出しと巻き取りを行うものであって、互いに組み付けられて外殻を形成する前蓋及び後蓋と、前記外殻内に収納された巻取り盤、ぜんまい及び位置決めボールと、前記第１の伝送ケーブルとを備え、前記巻取り盤は、前記巻取り盤の一面に環状壁が形成されると共に、他面に円形突部が形成され、かつ前記外殻の中心軸を中心として回転可能であり、前記第１の伝送ケーブルは前記巻取り盤を貫通してその両面側に延び、前記第１の伝送ケーブルの中間部は前記巻取り盤に固定されると共に、その両側部はそれぞれ前記環状壁及び円形突部の外周面に巻き付けられて、前記外殻の外部へ延び、前記巻取り盤が正逆回転することにより、前記第１の伝送ケーブルの両側部を引出し・巻き取り可能であり、前記ぜんまいはその両端がそれぞれ前記巻取り盤及び外殻に固定されて、前記第１の伝送ケーブルが引き出された時に、前記巻取り盤をケーブル巻き取り方向へ回転するよう付勢し、前記巻取り盤の底面に、その回転に伴って前記位置決めボールが移動可能に係合するガイド溝が設けられ、前記後蓋の内面に前記位置決めボールが移動可能に係合する係合溝が径方向に沿って設けられ、前記ガイド溝は、前記第１の伝送ケーブルを引き出す際に前記位置決めボールが移動して前記巻取り盤の回転を許容し、引き出した第１の伝送ケーブルを解放した後、前記位置決めボールが引っかかって、前記巻取り盤のケーブル巻き取り方向への回転を規制し、前記位置決めボールが引っかかった状態で前記ケーブルを僅かに引き出した時、前記位置決めボールの引っかかりが外れ、前記位置決めボールが外れて前記ケーブルを解放した時に、前記位置決めボールが移動して前記巻取り盤のケーブル巻取り方向への回転を許容することを特徴とするものである。
【０００７】
請求項３に係るマルチメディアスピーカは、請求項１又は２に係るマルチメディアスピーカにおいて、前記第２の伝送ケーブルは、その中途に第２のコードリールユニットを備え、前記第２のコードリールユニットは、互いに組み付けられて外殻を構成する上蓋及び下蓋と、該上蓋と下蓋との間に収納されたリール盤、ぜんまい及び位置決め部材と、前記第２の伝送ケーブルとを備え、前記リール盤は前記外殻の中心軸の回りを回転可能であり、前記第２の伝送ケーブルの中間部が前記リール盤に固定されると共に、その両側部分が前記リール盤の外周にそれぞれ上下２段に巻き付けられて、前記外殻の外部へ延び、前記リール盤が回転することにより、前記第２の伝送ケーブルの両側部分を引き出し・巻き取り可能であり、前記ぜんまいは、その両端がそれぞれ前記リール盤及び前記外殻に固定され、前記第２の伝送ケーブルが引き出された時に、前記リール盤をケーブル巻き取り方向へ回転するよう付勢し、前記位置決め部材は、位置決めアームと取付片とからなり、該取付片は前記位置決めアームの一端部上面を覆って、その両側部がそれぞれ前記下蓋に固定され、前記位置決めアームの一端部上面に設けられ回転軸が前記取付片に形成された軸孔へ回動自在に挿通され、前記位置決めアームの他端部にスライド突起部が設けられ、前記リール盤の下面に、その回転に伴い前記位置決め部材のスライド突起部を案内し、該スライド突起部を移動させたり、停止させることにより、前記リール盤の回転を許容或いは規制する位置決め軌道が形成されていることを特徴とするものである。
【考案の効果】
【０００８】
本考案のマルチメディアスピーカによれば、ネットワーク音声の入出力機能でマルチメディアスピーカの付加価値と使用機能を大幅に増強し、従来の単純なマルチメディアスピーカにおける使用上の制限をなくすと共に、ネットワーク音声の使用領域に関わる機能を増進し、高い利便性・実用性を備えることができる。
【０００９】
請求項２に係るマルチメディアスピーカによれば、伝送ケーブルの一方向の引き出し・巻き取り機能によりメインスピーカ殻体とサブスピーカ殻体とを接続することができる。第１の伝送ケーブルを必要な長さまで引き出して位置決めし、第１の伝送ケーブルが不要な場合は巻き取ることができるので、伝送ケーブルが邪魔にならず、体裁も良く、長期間使用しても伝送ケーブルが損傷を受けにくい。また、引出し・巻き取りに際して伝送ケーブルの両側部が同じように動作し、しかも、ぜんまいの力によって一気に伝送ケーブルを巻き取るため、伝送ケーブルを引いたり、解放するだけの簡単な操作で、迅速に引出し・巻き取りを行うことが可能である。
【００１０】
請求項３に係るマルチメディアスピーカによれば、スピーカとコンピュータとの接続に際して引き出した第２の伝送コードを位置決めでき、二方向の引き出し・巻き取りを行うことができる。
【考案を実施するための最良の形態】
【００１１】
以下、本考案の実施の形態を図面に基いて詳細に説明する。図１は、本考案の実施形態に係るマルチメディアスピーカの斜視図である。マルチメディアスピーカ１は、ネットワーク音声の出力を行うためのスピーカがそれぞれ配設されたメインスピーカ殻体１１及びサブスピーカ殻体１２と、これらの間を接続する第１の伝送ケーブルとしての伝送ケーブル３とを含む。
【００１２】
また、図２は実施形態のサブスピーカ殻体の内部構造を示す斜視図であり、図３はメインスピーカ殻体の内部構造を示す斜視図である。図２に示すように、サブスピーカ殻体１２の内部には、伝送ケーブル３を組み込んだ第１のコードリールユニットとしてのコードリールユニット２が設けられ、コードリールユニット２により、メインスピーカ殻体１１とサブスピーカ殻体１２との間を接続する伝送ケーブル３の単方向の引き出しと巻き取りを行うことができるようになっている。図３に示すように、メインスピーカ殻体１１内に、ネットワークへ伝送する音声の入力を行うためのマイクロフォン１３と、イヤホン挿入孔１４と、音量調節つまみ１５とが設けられ、音量調節つまみ１５により出力音量の制御を行うようになっている。
【００１３】
図５はコードリールユニット２を分解して示す斜視図である。図５に示すように、コードリールユニット２は、前蓋２１、ぜんまい２２、巻き取り盤２３、伝送ケーブル３、位置決めボール２５及び後蓋２６から構成されている。前蓋２１と後蓋２６とは、コードリールユニット２の外殻を構成していいる。前蓋２１の内面中心部には下方に向けて中心軸２１１が突設されている。また、後蓋２６の中心部には小孔２６１が形成され、中心軸２１１の先端部を小孔２６１に挿入してネジ２６２で固定することにより、前蓋２１と後蓋２６とが組み立てられるようになっている。
【００１４】
巻き取り盤２３は、前蓋２１及び後蓋２６よりやや径小の円板状の本体の前面に本体と同心に前面環状壁２３１が突設されている。図６は、コードリールユニット２の巻き取り盤２３の後面を示す斜視図である。また、図７は、コードリールユニット２の断面図である。巻き取り盤２３の本体の後面には、本体と同心に円形突部２３２が突設されている（図６参照）。
【００１５】
ぜんまい２２は巻き取り盤２３の前面環状壁２３１の内側に配置され、その中心端２２１が前蓋２１の内側の中心軸２１１に嵌合されて固定され、且つ、ぜんまい２２の外側の先端部に設けた折り曲げ部２２２が巻き取り盤２３の前面環状壁２３１に開設したスリット部２３１１に挿入されて前面環状壁２３１の内周面に嵌置・固定され、ぜんまい２２の中心端２２１及び折り曲げ部２２２がそれぞれ前蓋２１と巻き取り盤２３の両者に規制されている。このため、巻き取り盤２３が正方向に回転するとぜんまい２２が巻き締められ、巻き取り盤２３が逆方向に回転するとぜんまい２２が巻き戻される。
【００１６】
図５乃至図６に示すように、巻き取り盤２３の本体を前後に仕切る仕切り壁２３１２には挿通孔２３１３が穿設され、挿通孔２３１３に伝送ケーブル３が挿通されて前面から後面へと引き出され、伝送ケーブル３に異なる面方向の正方向ケーブルと逆方向ケーブルとが形成され、且つ、正方向ケーブルは前面環状壁２３１の外周面に巻き取られ、逆方向ケーブルは円形突部２３２の外周面に巻き取られる。
【００１７】
前述の正方向ケーブルと逆方向ケーブルは同一のコードであり、且つ、ほぼ同じ長さであるものとし、この伝送ケーブル３は、円形突部２３２の外側に設けられた挟持片２３２１により引き出された逆方向ケーブルが固定され、正方向ケーブルが引っ張られたとき逆方向ケーブルの範囲に進入しないよう、また、逆方向ケーブルが正方向ケーブルの範囲に進入しないようになっている（図６参照）。つまり、両者は常に一定のほぼ等しい長さを備えた状態となる。そのため、正方向ケーブルを引き出すとき、逆方向ケーブルには力がかからず、正方向ケーブルが元の位置へ巻き取られるときも、逆方向ケーブルはやはり力がかからない状態にある。正方向ケーブルと逆方向ケーブルとは、ほぼ同じ長さであり対等の動作をすることができ、一方の伝送ケーブルを引いても他方の伝送ケーブルには影響しない。同時に、正方向ケーブルが最終位置まで引き出されても、挟持片２３２１の固定作用により、サブスピーカ殻体１２に接続された伝送ケーブル３の逆方向ケーブルは引き出されず内部に留まり、正方向ケーブルから延出された導線端がメインスピーカ殻体１１に接続され、図１に示すように、伝送ケーブル３を隠す効果と、一方向への引き出し・巻取りの機能を得ることができる。
【００１８】
図５、図７に示すように、前蓋２１は、その内側の中心軸２１１が巻き取り盤２３の中央に設けられた通孔２３３に挿通され、さらに後蓋２６の中央に設けられた小孔２６１にネジ２６２が挿通され、ネジ２６２が前蓋２１の中心軸２１１にねじ込まれることによりネジ止め固定され（図７参照）、巻き取り盤２３が前蓋２１と後蓋２６の間に規制され、且つ、巻き取り盤２３の中心軸２１１回りの回転機能が形成される。このため、正方向ケーブルを引き出すと、同時に内部の巻き取り盤２３が回転され、正方向ケーブルを元の位置へ巻き戻すときは、内部の巻き取り盤２３がぜんまい２２の復元力により逆方向に回転して引き出された正方向ケーブルが巻き取られる。
【００１９】
このほか、巻き取り盤２３の円形突部２３２の上面２３４には、図６に示すようにガイド溝２３４１が設けられ、このガイド溝２３４１には位置決め部２３４２が設けられている。一方、後蓋２６の内面には係合溝２６３が径方向に向けて設けられている。位置決めボール２５は、後蓋２６に設けられた係合溝２６３内に移動可能に係合され、かつ巻き取り盤２３に設けられたガイド溝２３４１に移動可能に案内されて径方向内外の往復方式で位置移動して位置決めを行う。
【００２０】
次に、巻き取り盤２３のガイド溝２３４１と、後蓋２６の係合溝２６３と、位置決めボール２５との関係について説明する。位置決めボール２５は後蓋２６の係合溝２６３に係合しているので、径方向へ移動することはできるが、周方向へ移動することはできない。このため、巻き取り盤２３が規制を受けずに回転している時、位置決めボール２５は、巻き取り盤２３の回転方向に対して相対的に逆方向へ回転する。
【００２１】
ガイド溝２３４１は、図８乃至図１２に示すように、略円形の大径ガイド溝２３４３と、大径ガイド溝２３４３より小径で略円形の小径ガイド溝２３４４と、大径ガイド溝２３４３と小径ガイド溝２３４４とを接続する接続部２３４５と、大径ガイド溝２３４３及び小径ガイド溝２３４４に連絡された位置決め部２３４２とを備える。小径ガイド溝２３４４と大径ガイド溝２３４３との接続部２３４５は、小径ガイド溝２３４４から大径ガイド溝２３４３に向かって、径方向よりも逆回転（時計回り）側へ傾斜している。
【００２２】
大径ガイド溝２３４３と位置決め部２３４２との接続部分は、巻き取り盤２３が正回転している時は、位置決めボール２５が大径ガイド溝２３４３内での相対的な逆回転移動を継続し、巻き取り盤２３が逆回転した時に、相対的に正回転する位置決めボール２５を位置決め部２３４２へ案内するよう傾斜している。位置決め部２３４２は、大径ガイド溝２３４３より深く、且つ、大径ガイド溝２３４３からの接続部分と小径ガイド溝２３４４からの接続部分とが略Ｖ字形に交差するよう形成されている。このため、位置決めボール２５が位置決め部２３４２へ係合すると、位置決めボール２５の相対的な正回転（反時計回り）は規制される。一方、位置決めボール２５は、位置決め部２３４２に係合した状態から相対的に逆回転（時計回り）することができ、これにより位置決め部２３４２から小径ガイド溝２３４４へ案内される。
【００２３】
図８に示す位置決めボール２５が大径ガイド溝２３４３に係合した状態で伝送ケーブル３を引き出すと、位置決めボール２５はスムーズに大径ガイド溝２３４３内を移動し、巻き取り盤２３は位置決めボール２５によって規制されることなく正回転を継続する。
【００２４】
適当な長さまで伝送ケーブル３を引き出してから解放すると、図９に示すように、ぜんまい２の復元力によって巻き取り盤２３が逆回転し、位置決めボール２５は位置決め部２３４２へ案内される。すると、位置決めボール２５が位置決め部２３４２に引っかかって巻き取り盤２３の逆回転は停止し、伝送ケーブル３はその長さで位置決めされる。巻き取り盤２３が一回転する度に、位置決めボール２５は位置決め部２３４２との接続個所を通過するので、伝送ケーブル３の位置決め長さは、巻き取り盤２３の一回転毎の引出し長さを整数倍した長さとなる。
【００２５】
図９の状態から伝送ケーブル３を僅かに引き出すと、図１０に示すように、巻き取り盤２３が正回転して位置決めボール２５が小径ガイド溝２３４４に案内される。伝送ケーブル３の引き出しを継続して巻き取り盤２３が正回転を続けると、図１１に示すように、位置決めボール２５は小径ガイド溝２３４４内を相対的に逆回転し、その後、接続部２３４５を通って大径ガイド溝２３４３に戻り、図６に示す状態に復帰するので、伝送ケーブル３をさらに引き出すことができる。
【００２６】
一方、図１０に示す状態で伝送ケーブル３を解放すると、図１２に示すように、ぜんまい２の復元力で巻き取り盤２３が逆回転すると共に、位置決めボール２５は引っかかることなく小径ガイド溝２３４４内を正回転し、伝送ケーブル３が速やかに巻き取られる。以上のようにして、コードリールユニット２に多段式の位置決めと伝送ケーブル３の一方向の引き出し・巻き戻し機能が形成される。
【００２７】
また、本考案のマルチメディアスピーカ１には、コンピュータに接続するための第２の伝送ケーブルとしての伝送ケーブル４を配置する必要がある。図４は第２の伝送ケーブルの一実施形態を示す伝送ケーブル４の平面図である。この伝送ケーブル４は、その利用特性上単一のケーブルとすることができる。、その一端を接続端４１とし、他端をＵＳＢ接続端４２とし、スピーカ接続端４３とマイクロフォン接続端４４の４つのプラグを備えた伝送ケーブル４とし、それぞれが独立して信号を伝送する。または、図４に示すように、伝送ケーブル４は、その中途に第２のコードリールユニットとしてのコードリールユニット５を設け、コードリールユニット５を介して２方向のケーブル引き出し機能と巻取り機能を形成させ、コードリールユニット５により、長さ調整を行えるようにすることもできる。
【００２８】
伝送ケーブル４は、一端を接続端４１とし、他端をＵＳＢ接続端４２とし、且つ、このＵＳＢ接続端４２のケーブルからさらにスピーカ接続端４３とマイクロフォン接続端４４とをそれぞれ引き出してなる。マルチメディアスピーカ１は、メインスピーカ殻体１１に設けられたケーブル接続部（図示せず）に伝送ケーブル４の接続端４１を差し込んで伝送ケーブル４と接続し、伝送ケーブル４のＵＳＢ接続端４２をコンピュータのＵＳＢ端子に接続し、スピーカ接続端４３とマイクロフォン接続端４４とをそれぞれコンピュータのスピーカ接続端子（図示せず）とマイクロフォン接続端子（図示せず）とに接続し、コンピュータと接続してそれぞれ電源、スピーカ、マイクロフォンの３つの信号を独立して伝送することができる。
【００２９】
図１３は、実施形態のコードリールユニット５を分解して示す斜視図であり、図１６はコードリールユニット５の断面図である。図１３に示すように、コードリールユニット５は、上蓋５１、パッド片５２、リール盤５３、伝送ケーブル４、ぜんまい５５、下蓋５６及び位置決め部材５７から構成される。上蓋５１と下蓋５６とは、二方向コードリールの外殻を構成する。上蓋５１の内面中心から下方に向けて突設した中心軸が下蓋５６の中心に固定されている。そして、それぞれ円形平面を有するパッド５２及びリール５３が、上蓋５１と下蓋５６との間に配置され、上蓋５１の中心軸がパッド５２及びリール盤５３の中心を貫通している。
【００３０】
図１３に示すように、リール盤５３は、その上部が周壁で囲まれて上方に開方された凹部を有する略円筒形をなし、前記凹部の上面がパッド５２で閉鎖されている。リール盤５３の周壁には嵌入溝５３１が形成され、該嵌入溝５３１にぜんまい５５の一端５５２が係止されている。また、ぜんまい５５の他端５５１は、上蓋５１の中心軸に形成した嵌入溝５１１に固定されている。リール盤５３が正方向に回転すると、内部のぜんまい５５が巻き締められ、リール盤５３が逆方向に回転すると、内部のぜんまい５５が巻き戻され、巻き締められたぜんまい５５が巻き戻る際の復元力がコードリールユニット５のリール盤５３をコード巻き取り方向へ回転させる力となる。
【００３１】
また、リール盤５３の周壁内面に沿って挟み片５３２が設けられ、前記周壁には、挟み片５３２の両側に対応する位置に、引き出し口５３３とスリット５３４が設けられている。伝送ケーブル４はその中間部分がリール盤５３の周壁内面に沿って配置されると共に挟み片５３２により挟持され、中間部分の一側が周壁に設けられた引き出し口５３３から外部に引き出され、中間部分の他側が周壁に設けられたスリット５３４から外部に引き出され、１本の伝送ケーブル４がほぼ同じ長さでリール盤５３の外周面に上下２段にそれぞれ巻きつけられる（図１６参照）。リール盤５３が正逆方向に回転することにより、伝送ケーブル４を引き出したり、巻き取ることが可能である。伝送ケーブル４を二方向に引き出すときは同時且つ同速度で引き出され、巻き取るときは再度伝送ケーブル４を引くと、元の位置へと巻き戻される。
【００３２】
このほか、コードリールユニット５は、リール盤５３の下面に対して下蓋５６の上面外縁寄りに設けた位置決め部材５７により、コードリールユニット５の引っ掛けと引っ掛けの解除機能が提供される。図１４はコードリールユニット５の位置決め部材（図１３のＡ部）を分解して示す斜視図である。また、図１５は、コードリールユニット５の位置決め棒と位置決め軌道の相関位置と動作を示す平面図である。
【００３３】
図１４に示すように、位置決め部材５７は、位置決めアーム５７１と取付片５７２から構成される。位置決めアーム５７１の両端部上面には、それぞれ回転軸５７１１及びスライド突起部５７１２が突設される。また、取付片５７２の中央部には軸孔５７２１が形成されると共に、両側部にそれぞれ係止孔が形成される。取付片５７２は位置決めアーム５７１の基端部分の上面を覆うように設置され、両側を下蓋５６の上面に設けられた柱状の係合突起５７０に嵌置して固定される。また、取付片５７２の中央の軸孔５７２１に位置決めアーム５７１の回転軸５７１１が嵌入され、位置決めアーム５７１が取付片５７２により位置決めされると共に回動自在に軸支される。取付片５７２から露出された位置決めアーム５７１の先端部のスライド突起部５７１２は、リール盤５３の底部に設けられた位置決め軌道５３５に係合されている。
【００３４】
図１５に示すように、位置決めアーム５７１のスライド突起部５７１２は、リール盤５３の回転に伴い、位置決め軌道５３５に案内されて移動し、引っかかって停止する状態と引っ掛かりから外れて再度移動する状態とを交互に繰り返す。そして、スライド突起部５７１２がスムーズに移動する時は、リール盤５３の回転が許容され、スライド突起部５７１２が引っかかって停止すると、リール盤５３の回転が規制される。
【００３５】
従って、伝送ケーブル４が引き出され、同時にリール盤５３が回転するとき、位置決めアーム５７１が位置決め軌道５３５に沿って揺動運動し、この揺動運動において引き出された伝送ケーブル４がスライド突起部５７１２が引っかかることによってリール盤５３の回転が停止されて位置決めされた後、再度伝送ケーブル４を引くと、位置決めアーム５７１のスライド突起部５７１２が引っかかった状態から解放される。また、段階的位置決め機能を得ることもでき、同様に引き出された伝送ケーブル４を位置決めした後、伝送ケーブル４が完全に巻き取られる前に、再度伝送ケーブル４を引き出し、位置決めアーム５７１に再度位置決めさせることができる。このため、本考案のコードリールユニット５は、その操作上一度の巻き取りと段階的な多段式位置決め制御の２つの使用機能を備えている。
【図面の簡単な説明】
【００３６】
【図１】本考案の実施形態に係るマルチメディアスピーカの斜視図である。
【図２】同上の実施形態のサブスピーカ殻体の内部構造を示す斜視図である。
【図３】同上の実施形態のメインスピーカ殻体の内部構造を示す斜視図である。
【図４】同上の実施形態の第２の伝送ケーブルの平面図である。
【図５】同上の実施形態の第１のコードリールユニットを分解して示す斜視図である。
【図６】同上の実施形態の第１のコードリールユニットの巻き取り盤の後面を示す斜視図である。
【図７】同上の実施形態の第１のコードリールユニットの断面図である。
【図８】伝送ケーブル引き出し時におけるガイド溝と位置決めボールとの関係を示す図である。
【図９】伝送ケーブル位置決め時におけるガイド溝と位置決めボールとの関係を示す図である。
【図１０】伝送ケーブル位置決め解除時におけるガイド溝と位置決めボールとの関係を示す図である。
【図１１】伝送ケーブル再引き出し時におけるガイド溝と位置決めボールとの関係を示す図である。
【図１２】伝送ケーブル巻き取り時におけるガイド溝と位置決めボールとの関係を示す図である。
【図１３】同上の実施形態の第２のコードリールユニットを分解して示す斜視図である。
【図１４】同上の実施形態の第２のコードリールユニットの位置決め部材を分解して示す斜視図である。
【図１５】同上の実施形態の第２のコードリールユニットの位置決め棒とガイド溝の相関位置と動作を示す平面図である。
【図１６】同上の実施形態の第２のコードリールユニットの断面図である。
【符号の説明】
【００３７】
１  マルチメディアスピーカ
１１  メインスピーカ殻体
１２  サブスピーカ殻体
１３  マイクロフォン
１４  イヤホン挿入孔
１５  音量調節つまみ
２  コードリールユニット（第１のコードリールユニット）
２１  前蓋
２１１  中心軸
２２  ぜんまい
２２１  中心端
２２２  折り曲げ部
２３  巻き取り盤
２３１  前面環状壁
２３１１  スリット部
２３１２  仕切り壁
２３１３  挿通孔
２３２  円形突部
２３２１  挟持片
２３３  通孔
２３４  上面
２３４１  ガイド溝
２３４２  位置決め部
２３４３  大径ガイド溝
２３４４  小径ガイド溝
２３４５  接続部
２５  位置決めボール
２６  後蓋
２６１  小孔
２６２  ネジ
２６３  係合溝
３  伝送ケーブル（第１の伝送ケーブル）
４  伝送ケーブル（第２の伝送ケーブル）
４１  接続端
４２  ＵＳＢ接続端
４３  スピーカ接続端
４４  マイクロフォン接続端
５  コードリールユニット（第２のコードリールユニット）
５１  上蓋
５１１  嵌入溝
５２  パッド片
５３  リール盤
５３１  嵌入溝
５３２  挟み片
５３３  引き出し口
５３４  スリット
５３５  位置決め軌道
５５  ぜんまい
５５１  内側端部
５５２  外側端部
５６  下蓋
５７  位置決め部材
５７０  係合突起
５７１  位置決めアーム
５７１１  回転軸
５７１２  スライド突起部
５７２  取付片
５７２１  軸孔
【図１】
0003118503.tif 000003
【図２】
0003118503.tif 000004
【図３】
0003118503.tif 000005
【図４】
0003118503.tif 000006
【図５】
0003118503.tif 000007
【図６】
0003118503.tif 000008
【図７】
0003118503.tif 000009
【図８】
0003118503.tif 000010
【図９】
0003118503.tif 000011
【図１０】
0003118503.tif 000012
【図１１】
0003118503.tif 000013
【図１２】
0003118503.tif 000014
【図１３】
0003118503.tif 000015
【図１４】
0003118503.tif 000016
【図１５】
0003118503.tif 000017
【図１６】
0003118503.tif 000018